(57)【要約】【課題】ＩＣタグを設け、そのＩＣタグの破損を回避することができる粉体用包装袋を提供することである。【解決手段】平坦に折り潰された筒形状に形成され、前記筒形状の開口部に斜め折れ線部を設けて三角形状の折込み部を形成し、前記筒形状の開口端と平行して設けられた第１及び第２の折れ線部を有した袋基材と、平坦に折り潰された筒形状に形成され、前記筒形状の内面に設けられ、その内面を接着可能な接着層と、前記第１の折れ線部と前記第２の折れ線部との間の前記折込み部に接着される帯状接着層を有するバルブ基材と、前記袋基材の開口部の外側に設けられ、前記袋基材を前記第２の折れ線部及び前記第１の折れ線部で折り曲げられることにより閉じられる前記袋基材の開口部に貼り合わされる化粧紙基材とを備える粉体包装用両底貼り袋において、上底または下底の化粧紙基材の内面のほぼ中央部にＩＣタグを貼り付けた。【選択図】図６
2008068899.tif 000002
【特許請求の範囲】
【請求項１】
平坦に折り潰された筒形状に形成され、前記筒形状の開口部に斜め折れ線部を設けて三角形状の折込み部を形成し、前記筒形状の開口端と平行して設けられた第１及び第２の折れ線部を有した袋基材と、
平坦に折り潰された筒形状に形成され、前記筒形状の内面に設けられ、その内面を接着可能な接着層と、前記第１の折れ線部と前記第２の折れ線部との間の前記折込み部に接着される帯状接着層を有するバルブ基材と、
前記袋基材の開口部の外側に設けられ、前記袋基材を前記第２の折れ線部及び前記第１の折れ線部で折り曲げられることにより閉じられる前記袋基材の開口部に貼り合わされる化粧紙基材とを備える粉体包装用両底貼り袋において、
上底または下底の化粧紙基材の内面のほぼ中央部にＩＣタグを貼り付けたことを特徴とする、ＩＣタグを内包した粉体用包装袋。
【請求項２】
平坦に折り潰された筒形状に形成され、前記筒形状の開口部に斜め折れ線部を設けて三角形状の折込み部を形成し、前記筒形状の開口端と平行して設けられた第１及び第２の折れ線部を有した袋基材と、
平坦に折り潰された筒形状に形成され、前記筒形状の内面に設けられ、その内面を接着可能な接着層と、前記第１の折れ線部と前記第２の折れ線部との間の前記折込み部に接着される帯状接着層を有するバルブ基材と、
前記袋基材の開口部の外側に設けられ、前記袋基材を前記第２の折れ線部及び前記第１の折れ線部で折り曲げられることにより閉じられる前記袋基材の開口部に貼り合わされる化粧紙基材とを備える粉体包装用両底貼り袋において、
粉体吹込み口側と反対側にカットテープ部を設け、粉体吹込み口側の化粧紙基材内面のほぼ中央部にＩＣタグを貼り付けたことを特徴とする、ＩＣタグを内包した粉体用包装袋。
【発明の詳細な説明】
【技術分野】
【０００１】
本発明は、粉体を包装するときに使用される粉体用包装袋に関し、特にＩＣタグを内包した粉体用包装袋に関する。
【背景技術】
【０００２】
小麦粉のような粉体を搬送する方法のひとつとして、その粉体を包装袋に充填し、その粉体用包装袋ごと搬送する方法が知られている。
【０００３】
ところで最近では、流通管理、トレーサビリティなどの観点から、このような粉体用包装袋においても、その充填時の状況や流通の過程などの様々な履歴情報を後から知り得るようにすることが望まれている。従来、粉体用包装袋のそれぞれに対して履歴情報を付加する方法としては、粉体用包装袋にその履歴情報を直接印刷したり、刻印を刻んだりするような方法が知られていた。
【０００４】
しかしながら、最近の高度情報化に対応して、粉体用包装袋のそれぞれに付加しておきたい履歴情報の量も増大してきて、袋に直接印刷するような方法では、印刷スペースが不足してしまうし、見栄えもよくないという問題があった。
【０００５】
これに対して特許文献１や特許文献２に記載の発明では、包装体の腹部分の表面に非接触ＩＣタグを設け、このＩＣタグに履歴情報を記録することによって、記録したい情報量の増加に対応しようとしている。
【０００６】
【特許文献１】特開２００３−１５５０６２号公報
【特許文献２】特開２００３−１５８４１４号公報
【発明の開示】
【発明が解決しようとする課題】
【０００７】
ところが、粉体用包装袋の一例である小麦粉を充填する袋の場合、たとえば一袋に２５ｋｇ程の小麦粉を詰め、その袋を１０段ほど積み重ねて搬送するのが普通であり、特許文献１や特許文献２に記載のように包装体の腹部分の表面に非接触ＩＣタグを貼り付けたのでは、積載した袋の荷重がＩＣタグにかかり、ＩＣタグを破損してしまうおそれがあった。
【０００８】
また、たとえばＡＭＯスクリュー式パッカー（株式会社中島製作所製）を用いて、袋に小麦粉を充填する際、袋がＡＭＯスクリュー式パッカーの振動装置付袋受台に接しているので、その底部分にＩＣタグが貼り付けてある場合はＩＣタグが破損するおそれがあった。
【０００９】
本発明は上記の点にかんがみてなされたもので、ＩＣタグを設け、そのＩＣタグの破損を回避することができる粉体用包装袋を提供することを目的とする。
【課題を解決するための手段】
【００１０】
本発明は、上記課題を解決するために、平坦に折り潰された筒形状に形成され、前記筒形状の開口部に斜め折れ線部を設けて三角形状の折込み部を形成し、前記筒形状の開口端と平行して設けられた第１及び第２の折れ線部を有した袋基材と、平坦に折り潰された筒形状に形成され、前記筒形状の内面に設けられ、その内面を接着可能な接着層と、前記第１の折れ線部と前記第２の折れ線部との間の前記折込み部に接着される帯状接着層を有するバルブ基材と、前記袋基材の開口部の外側に設けられ、前記袋基材を前記第２の折れ線部及び前記第１の折れ線部で折り曲げられることにより閉じられる前記袋基材の開口部に貼り合わされる化粧紙基材とを備える粉体包装用両底貼り袋において、上底または下底の化粧紙基材の内面のほぼ中央部にＩＣタグを貼り付けたことを特徴とする。
【００１１】
また本発明は、平坦に折り潰された筒形状に形成され、前記筒形状の開口部に斜め折れ線部を設けて三角形状の折込み部を形成し、前記筒形状の開口端と平行して設けられた第１及び第２の折れ線部を有した袋基材と、平坦に折り潰された筒形状に形成され、前記筒形状の内面に設けられ、その内面を接着可能な接着層と、前記第１の折れ線部と前記第２の折れ線部との間の前記折込み部に接着される帯状接着層を有するバルブ基材と、前記袋基材の開口部の外側に設けられ、前記袋基材を前記第２の折れ線部及び前記第１の折れ線部で折り曲げられることにより閉じられる前記袋基材の開口部に貼り合わされる化粧紙基材とを備える粉体包装用両底貼り袋において、粉体吹込み口側と反対側にカットテープ部を設け、粉体吹込み口側の化粧紙基材内面のほぼ中央部にＩＣタグを貼り付けたことを特徴とする。
【発明の効果】
【００１２】
本発明によれば、ＩＣタグを設け、搬送時にそのＩＣタグの破損を回避することができる粉体用包装袋を提供することができる。
【００１３】
すなわち本発明によれば、搬送時に側面となる粉体用包装袋の上底または下底にＩＣタグを貼り付けるようにしたので、搬送時に上積みされた他の袋の荷重がＩＣタグに直接かかることがなく、ＩＣタグの破損のおそれをなくすることができる。
【００１４】
また本発明は、粉体充填時に充填物の重量がかからない部分にＩＣタグを設けるようにしたので、充填物の重量がＩＣタグに直接かかることがなく、ＩＣタグの破損のおそれをなくすることができる。
【００１５】
また本発明は、内容物に直接触れない化粧紙基材にＩＣタグを設けるようにしたので、ＩＣタグが粉体用包装袋の内容物に混入してしまうおそれをなくすることができる。
【００１６】
また本発明は、開封時に破断するカットテープ部とは反対側にＩＣタグを設けるようにしたので、ＩＣタグが粉体用包装袋の内容物に混入してしまうおそれをなくすることができる。
【００１７】
また本発明は、ＩＣタグを設けて情報記録しておくことにより、粉体用包装袋および充填物のトレーサビリティが可能となる。
【００１８】
また本発明は、ＩＣタグを設けて情報記録しておくことにより、製袋会社での在庫管理、誤出荷の防止を行うことができる。
【００１９】
また本発明は、ＩＣタグを設けて情報記録しておくことにより、粉体の銘柄ごとにたとえば印刷絵柄が異なる粉体用包装袋を製袋会社から受け入れる際の確認を容易に行うことができる。
【００２０】
また本発明は、ＩＣタグを設けて情報記録しておくことにより、粉体を粉体用包装袋に充填する際に間違った種類の粉体を充填してしまうなどの誤充填を防止することができる。
【００２１】
また本発明は、ＩＣタグを設けて情報記録しておくことにより、粉体用包装袋に充填した粉体の在庫管理を行うことができる。
【００２２】
また本発明は、ＩＣタグを設けて情報記録しておくことにより、粉体用包装袋に充填した粉体を出荷する際の誤出荷を防止することができる。
【発明を実施するための最良の形態】
【００２３】
以下、本発明の実施の形態について図面を参照して詳細に説明する。
【００２４】
本実施の形態では、粉体用包装袋の例として、上底および下底を有する粉体包装用両底貼り袋について説明する。
【００２５】
図１は、本発明による粉体用包装袋を構成する袋基材を展開した平面図である。
【００２６】
本実施の形態の粉体用包装袋を構成する袋基材１としては、たとえばクラフト紙などの用紙が用いられる。袋基材１の強度を得るためには、同じ大きさの用紙を２枚以上重ねて用いるのが望ましい。本実施の形態では２枚のクラフト紙を重ねて、この２枚を接着剤で貼り付けて袋基材１として用いるものとする。
【００２７】
２枚重ねの用紙は、図１に示す所定個所で折られるとともに、重ね合わせた所定個所を接着して袋状にされる。図１において、破線は谷折りする線を示し、一点鎖線は山折りする線を示す。
【００２８】
袋基材１の面１４の両脇の面１３と面１２とは向こう側に折り込まれ、面１３の端部に予め塗られた接着層１９の上に面１２の端部が重ねられて接着される。これによって袋基材１は上下に開口部を有する筒形状に形成される。
【００２９】
なお、接着層１９の接着剤としては、たとえば酢ビ系、ポリビニルアルコール系やでんぷん系の糊を用いることができる。以下の説明において特に説明がない場合には接着剤としては、これらの接着剤を用いることができる。
【００３０】
図２は、図１に示した袋基材１を筒形状に形成した後に、両開口部を折った状態を示す斜視図であり、図３は平面図である。この図２および図３では、図１に示した粉体用包装袋１の面１４が手前に来る状態で示している。
【００３１】
筒形状に形成された袋基材１は平坦に折り潰され、両開口部を折ることによって、図２、図３に示すような形状となる。
【００３２】
図１、図３に示すように、袋基材１の一方の開口部には三角形状の折込み部２４および２５が形成され、また、袋基材１は一方の開口端と平行して設けられた第１の折れ線部２０および第２の折れ線部２１を有する。さらに袋基材１の他方の開口部には三角形状の折込み部２６および２７が形成され、また、袋基材１は他方の開口端と平行して設けられた第１の折れ線部２２および第２の折れ線部２３を有する。
【００３３】
また、図２および図３では、袋基材１のほかに、粉体用包装袋を構成するバルブ基材５を示している。
【００３４】
バルブ基材５は、クラフト紙などの用紙を筒形状に形成し、このバルブ基材５の左端は外部に通じ、右端は袋基材１の内部に通じるように、たとえば折込み部２４の上に接着される。バルブ基材５は粉体吹き込み口として作用し、粉体用包装袋が完成した後の粉体の充填は、充填用のノズルをこのバルブ基材５の左端から挿入して行う。バルブ基材５の筒の内面にはホットメルト系接着剤が塗布してあり、粉体充填時には粘着性はなく、充填完了後に加熱するとこの筒内面の接着剤が熔融して接着し、筒内の貫通を遮蔽し、粉体用包装袋内の粉体が外部に漏れるのを防ぐ。
【００３５】
続いて、第１の折れ線部２２を折って接着層３０によって接着し、その上に、第２の折れ線部２３を折って接着層３１によって接着して上底を形成する。
【００３６】
また、折込み部２４の上に筒形状のバルブ基材５を接着した上に、第１の折れ線部２０を折って接着層２８によって接着し、その上に、第２の折れ線部２１を折って接着層２９によって接着して下底を形成する。
【００３７】
図４は、図３の状態から、第１の折れ線部２０および第２の折れ線部２１を折って下底を形成し、第１の折れ線部２２および第２の折れ線部２３を折って上底を形成した状態を示す平面図である。
【００３８】
図４に示す状態において、袋基材１の内部は、バルブ基材５の筒内面でのみ外部と通じており、他の部分はほぼ密閉されている。
【００３９】
図５は、図４に示した袋基材１の上底および下底に貼り付ける化粧紙基材を示す平面図である。
【００４０】
化粧紙基材２は、バルブ基材５を有する面１６および面１５から成る下底を覆い、化粧紙基材３は面１８および面１７から成る上底を覆う。
【００４１】
化粧紙基材２の、面１５に貼り付けられる側の面（図５では裏面）のほぼ中央には、無線にて外部とのデータ送受信が可能で、外部から受信したデータを記憶したり、記憶してあるデータを外部に送信することができるＩＣタグ４が貼り付けられている。
【００４２】
一方、化粧紙基材３にはカットテープ部６が設けられている。このカットテープ部６には、化粧紙基材３を横断してたとえばビニールテープが貼り付けてあり、このビニールテープを端から引き上げて化粧紙基材３を破ることによって容易に化粧紙基材３を破断することができる。このカットテープ部６によって化粧紙基材３を破断させ、面１７、面１８の接着を剥がすことによって、粉体充填済みの粉体用包装袋を容易に開封することができる。
【００４３】
図６は、図４に示した袋基材１に、図５に示した化粧紙基材２および３を貼り付けた状態を示す平面図である。
【００４４】
図６に示すように、面１６および面１５から成る下底の上には化粧紙基材２が貼り付けられ、面１８および面１７から成る上底の上には化粧紙基材３が貼り付けられて、粉体用包装袋１０が完成する。
【００４５】
ＩＣタグ４に対しては、たとえば袋の製袋時に袋の銘柄、製袋工場を識別する名称等、また粉体充填完了時に、充填日時、充填した粉体の種類（品種、銘柄）、充填した工場を識別する名称、充填した装置を識別する名称等の履歴情報を非接触で書き込む。また、そのほかにも、任意のタイミングで、搬送状況などの様々な情報を書き込み、また書き込まれている情報の読み取りを行う。
【００４６】
図７は、粉体充填済みの粉体用包装袋１０を積載した状態を示す斜視図である。
【００４７】
粉体充填済みの粉体用包装袋１０を搬送する際には、図７に示すように、たとえばパレット（図示せず）の上に各袋を積載し、粉体用包装袋１０を５０袋ずつまとめてパレットごと搬送する。
【００４８】
本実施の形態の粉体用包装袋１０では、図７に示すように、搬送時には粉体用包装袋１０の上底および下底が側面になるように積載され、下底の化粧紙基材２の裏面に貼り付けられたＩＣタグ４には、上積みされた他の袋の荷重が直接かかることがない。
【００４９】
また、たとえば水のように容易に形状を変えてしまう物質を入れた袋に上から荷重をかけると側面にも張り出す力がかかってしまうが、粉体である小麦粉の場合、袋詰めされて荷重がかかると変形しない程度に固まり、側面にほとんど力がかからず、ＩＣタグ４を破損してしまうおそれがない。
【００５０】
なお、上述の実施の形態では、粉体用包装袋の下底にＩＣタグを貼り付けるようにしたが、本発明はこれに限られるものではなく、粉体用包装袋の上底にＩＣタグを貼り付けるようにしてもよい。
【００５１】
しかしながら、カットテープ部によって粉体用包装袋を開封する際に、粉体用包装袋の内容物にＩＣタグが剥れて混入してしまうのを防ぐため、ＩＣタグを設けるのは、カットテープ部が設けられていない側であることが望ましい。
【００５２】
また、粉体吹き込み口として作用するバルブ基材５から粉体を充填している最中には、バルブ基材と反対側の底（上述の実施の形態では上底）は、充填装置の振動装置付袋受台と接しており、充填物の重量が掛かってしまうため、ＩＣタグを設けるのは、そのバルブ基材と反対側の底ではないことが望ましい。
【図面の簡単な説明】
【００５３】
【図１】本発明による粉体用包装袋を構成する袋基材を展開した平面図である。
【図２】図１に示した袋基材１を筒形状に形成した後に、両開口部を折った状態を示す斜視図である。
【図３】図１に示した袋基材１を筒形状に形成した後に、両開口部を折った状態を示す平面図である。
【図４】図３の状態から、第１の折れ線部２０および第２の折れ線部２１を折って下底を形成し、第１の折れ線部２２および第２の折れ線部２３を折って上底を形成した状態を示す平面図である。
【図５】図４に示した袋基材１の上底および下底に貼り付ける化粧紙基材を示す平面図である。
【図６】図４に示した袋基材１に、図５に示した化粧紙基材２および３を貼り付けた状態を示す平面図である。
【図７】粉体充填済みの粉体用包装袋１０を積載した状態を示す斜視図である。
【符号の説明】
【００５４】
１  袋基材
２、３  化粧紙基材
４  ＩＣタグ
５  バルブ基材
６  カットテープ部
１０  粉体用包装袋
１２、１３、１４、１５、１６、１７、１８  面
１９、２８、２９、３０、３１  接着層
２０、２２  第１の折れ線部
２１、２３  第２の折れ線部
２４、２５、２６、２７  折り込み部
【図１】
2008068899.tif 000003
【図２】
2008068899.tif 000004
【図３】
2008068899.tif 000005
【図４】
2008068899.tif 000006
【図５】
2008068899.tif 000007
【図６】
2008068899.tif 000008
【図７】
2008068899.tif 000009